(57)【要約】【課題】パーソナルコンピュータと接続することなく，ネットワークを利用してやりとりされるデータの詳細内容を調べることができるネットワーク中継装置を提供する。【解決手段】ネットワーク中継装置１は，ネットワーク中継装置１の全体を制御するプロセッサ１０と，テキストデータを表示するデバイスであるディスプレイ１１を備え，プロセッサ１０は，メモリ１２に格納されたプログラムに従い動作し，ＷＡＮ側に接続されたサーバ２aとＬＡＮ側に接続されたクライアント２ｂがネットワークを利用してやりとりするパケットデータの全てまたは一部をディスプレイ１１に表示させる処理を行う。【選択図】図２
2014232903.tif 000002
【特許請求の範囲】
【請求項１】
ネットワークを利用してやりとりされるパケットデータを中継する装置であって，テキストデータを表示する装置であるディスプレイと，中継する前記パケットデータの全てまたは一部を前記ディスプレイに表示させるプロセッサを備えたことを特徴とするネットワーク中継装置。
【発明の詳細な説明】
【技術分野】
【０００１】
本発明は， ルータ，スイッチやファイヤーウォールなど，ネットワークを介してやりとりされるデータを中継するネットワーク中継装置に関する。
【背景技術】
【０００２】
現在流通しているルータ，スイッチやファイヤーウォールといったネットワーク中継装置には，特許文献１に記載があるように，ネットワーク中継装置の状態を示すインジケータが設けられている。しかし，インジケータは，インジケータの色や点滅によって，電源投入の有無，エラーの有無，送信中であるか否か等を示すに過ぎず，ネットワーク中継装置をパーソナルコンピュータに接続しなければ，ネットワーク中継装置が中継するデータの詳細内容を調べることはできなかった。
【先行技術文献】
【特許文献】
【０００３】
【特許文献１】特開２００５−３９１９０号公報
【発明の概要】
【発明が解決しようとする課題】
【０００４】
そこで，本発明は，パーソナルコンピュータと接続することなく，ネットワークを介してやりとりされるデータの詳細内容を調べることができるネットワーク中継装置を提供することを目的とする。
【課題を解決するための手段】
【０００５】
上述した課題を解決する本願発明は，ネットワークを介してやりとりされるパケットデータを中継する装置であって，テキストデータを表示する装置であるディスプレイと，中継する前記パケットデータの全てまたは一部を前記ディスプレイに表示させるプロセッサを備えたことを特徴とするネットワーク中継装置である。
【発明の効果】
【０００６】
上述した本発明によれば，本発明に係るネットワーク中継装置がディスプレイを備え，ネットワーク中継装置のプロセッサが，中継するパケットデータの全てまたは一部をディスプレイに表示させることで，ネットワーク中継装置のディスプレイを見れば，ネットワークを利用してやりとりされるデータの詳細内容を調べることができるようになる。
【図面の簡単な説明】
【０００７】
【図１】本実施形態に係るネットワーク中継装置の外観を説明する図。
【図２】本実施形態に係るネットワーク中継装置のブロック図。
【図３】ＰＰＰ（Point-to-Point Protocol）によりセッションを確立する際の各種処理を説明する図。
【発明を実施するための形態】
【０００８】
ここから，本発明の好適な実施形態を記載する。なお，以下の記載は本発明の範囲を束縛するものでなく，理解を助けるために記述するものである。
【０００９】
図１は，本実施形態に係るネットワーク中継装置１の外観を説明する図，図２は，本実施形態に係るネットワーク中継装置１のブロック図である。
【００１０】
本実施形態に係るネットワーク中継装置１は，ネットワークを介してやりとりされるパケットデータを中継する機器で，図１に図示したように，本実施形態に係るネットワーク中継装置１の前面パネル１ａには，ネットワークと有線で接続するネットワークポートとして，イントラネットやＷＡＮ（Wide Area Network）と接続するＷＡＮ側のネットワークポート１５と，ＬＡＮ（Local Area Network）と接続する少なくとも一つ（ここでは，４つ）のＬＡＮ側のネットワークポート１６が設けられ，更に，ネットワーク中継装置１の状況を知らせるデバイスとして，色が緑のＬＥＤ１７ａと色がオレンジ色のＬＥＤ１７ｂに加え，ネットワークを介してやりとりされるパケットデータの詳細内容の表示に用いるディスプレイ１１が設けられている。
【００１１】
また，図２に図示したように，本実施形態に係るネットワーク中継装置１は，ネットワーク中継装置１の全体を制御するプロセッサ１０を有し，このプロセッサ１０には，プロセッサ１０を動作させるためのプログラムやデータが格納されるメモリ１２と，テキストデータを表示するデバイスであるディスプレイ１１と，ネットワークの物理層に対応したＰＨＹ（Physical Layer）チップ１３と，ネットワークの物理層に対応したスイッチングハブチップ１４が接続されている。なお，ＷＡＮ側のネットワークポート１５はＰＨＹチップ１３に接続し，４つのＬＡＮ側のネットワークポート１６はスイッチングハブチップ１４に接続している。
【００１２】
ネットワーク中継装置１が備えるプロセッサ１０は，メモリ１２に格納されたプログラムに従い動作し，ＷＡＮ側に接続されたサーバ２ａとＬＡＮ側に接続されたクライアント２ｂがネットワークを介してやりとりするパケットデータの全てまたは一部をディスプレイ１１に表示させる処理を行う。
【００１３】
ここから，ＰＰＰ（Point-to-Point Protocol）によりセッションを確立する際の各種処理を例にあげて，ネットワーク中継装置１のプロセッサ１０がディスプレイ１１に表示させるデータについて説明する。
【００１４】
図３は，ＰＰＰによりセッションを確立する際の各種処理を説明する図である。サーバ２ａとクライアント２ｂ間でセッションを確立する際，サーバ２ａとクライアン２ｂ間のリンクを確立するリンク確立プロセス（Ｓ１）が実施される。このリンク確立プロセス（Ｓ１）では，サーバ２ａとクライアント２ｂ間でＬＣＰ（Link Control Protocol）パケットが交換され，最大パケットサイズなどの通信条件が決定されるため，ネットワーク中継装置１のプロセッサ１０は，サーバ２ａとクライアント２ｂ間で交換するＬＣＰパケットのデータ本体をディスプレイ１１に表示する。
【００１５】
リンク確立プロセス（Ｓ１）が実施された後，サーバ２ａがクライアント２ｂを認証する認証プロセスが実施される。この認証プロセス（Ｓ２）において，サーバ２ａは，ＰＡＰ（Password Authentication Protocol）やＣＨＡＰ（Challenge Handshake Authentication Protocol）などの手法でクライアント２ｂを認証するため，ネットワーク中継装置１のプロセッサ１０は，クライアント２ｂからサーバ２ａへ送信する認証プロセス（Ｓ２）のパケットデータに含まれるユーザＩＤおよび認証データや，サーバ２ａからクライアント２ｂに送信される認証プロセス（Ｓ２）のパケットデータに含まれる認証結果をディスプレイ１１に表示する。
【００１６】
認証プロセス（Ｓ２）が実施された後，ＯＳＩ参照モデルのネットワーク層を構成するネットワーク層プロトコルフェーズが実施され（Ｓ３），このネットワーク層プロトコルフェーズでは，ＮＣＰ（Network Control Protocol）を用いてネットワーク層が構成される。例えば，ＮＣＰがＩＰ（Internet Protocol）の場合，サーバ２ａとクライアント２ｂ間でＩＰパケットが交換されるため，ネットワーク中継装置１のプロセッサ１０は，サーバ２ａとクライアント２ｂ間で交換するＩＰパケットのヘッダの一部（送信元ＩＰアドレスと宛先ＩＰアドレス）をディスプレイ１１に表示する。
【符号の説明】
【００１７】
１    ネットワーク中継装置
１０  プロセッサ
１１  ディスプレイ
１２  メモリ
１３  ＰＨＹチップ
１４  スイッチングハブチップ
１５  ＷＡＮ側のネットワークポート
１６  ＬＡＮ側のネットワークポート
２ａ  サーバ
２ｂ  クライアント
【図１】
2014232903.tif 000003
【図２】
2014232903.tif 000004
【図３】
2014232903.tif 000005